(57)【特許請求の範囲】
【請求項１】
換気シャフトを介してシャフトの大気開口に流体連通する地下換気ダクトへと前記換気シャフトを介した通常通りの換気を可能にするための装置であって、浸水の脅威の下、地表の水が前記地下換気ダクトへと下方に流れ込むことを防止するように動作可能である当該装置は、
前記シャフト内の配置のための支持体であり、前記支持体を介した前記大気開口への前記の換気ダクトの流体連通のために、前記支持体の上部開口と底部開口との間の通路を画定する、支持体と、
前記底部開口に近接する前記支持体内にあり、前記支持体に接続され、かつ、前記通路を塞がない、１つ以上のストップと、
前記通路を塞がずに、直立原位置から、あるいは、直立原位置へと、パネルを回転させるために、前記支持体内に取り付けられる１つ以上のパネルであり、重力回転において前記直立原位置から下方通路閉鎖位置へと降下し、前記下方通路閉鎖位置では、更なる回転は前記１つ以上のストップによって防がれ、前記の通路閉鎖位置へと重力の作用により回転するとき、前記１つ以上のパネルは、前記通路を閉鎖するプロファイルを有する、１つ以上のパネルと、
パネルホルダであって、該パネルホルダは、前記直立原位置に前記１つ以上のパネルを保持する１つ以上の可動部材と、前記１つ以上の可動部材を動かして前記１つ以上のパネルを解除し、前記１つ以上のパネルが前記の通路閉鎖位置へと下方に重力の作用により回転させるように手動で操作可能なハンドルとを有する、パネルホルダと、
を含む、装置。
【請求項２】
パネルが前記通路の一側部に取り付けられる、請求項１に記載の装置。
【請求項３】
前記通路の両側部に取り付けられる一対のパネルを含む、請求項２に記載の装置。
【請求項４】
前記直立原位置から前記下方通路閉鎖位置へと降下する重力回転において、前記通路を塞がずに、前記直立原位置から、あるいは、前記直立原位置へと、互いに対向する方向における前記パネルの回転のために、前記通路内の中央に取り付けられる一対のパネルを含む、請求項１に記載の装置。
【請求項５】
前記シャフトは垂直であり、前記大気開口は直線状であり、前記支持体は、前記の換気ダクトと前記大気開口との間に、前記シャフト内に内嵌するようサイズ決めされた側壁を有する四面のボックスを含み、前記支持体は、前記シャフトの上部を覆って前記シャフト内に前記支持体を吊り下げるために、前記側壁を横断するフランジを更に含む、請求項４に記載の装置。
【請求項６】
隣接する前記側壁は、第１の曲率半径を有する丸みを帯びたコーナー部を有する基部を含み、前記パネルの前記遠位部は、前記の通路閉鎖位置へと回転するときにスイープする、前記側壁のコーナー部の前記第１の曲率半径と実質的に同じ曲率半径を有する丸みを帯びたコーナー部を有する、請求項５に記載の装置。
【請求項７】
前記パネルは、前記の通路閉鎖位置において前記通路を密封するめのシールを含む、請求項６に記載の装置。
【請求項８】
前記のホルダは一対のラッチを含み、前記可動部材は一対のラッチ部材を含み、前記ラッチは、前記ラッチ部材を前記パネルの上方部分に移動するよう、かつ、前記パネルを原位置に直立に保持するように配置され、各ラッチ部材は、パネルが直立位置から前記水平位置へと回転するのを可能にするように、前記パネル上のその保持を解放するように移動可能である、請求項４に記載の装置。
【請求項９】
前記ラッチはバネを含み、前記ラッチ部材の移動は垂直であり、前記ラッチは、バネ付勢されて前記ラッチ部材を垂直に延伸し、延伸されたラッチ部材の引き込みは、バネを負荷して、引き込みに対抗する力を加える、請求項８に記載の装置。
【請求項１０】
前記通路にわたって、支障とならないように水平に架設し、かつ、前記上部開口に近接する前記支持体の両側部に接続される梁を含む、請求項９に記載の装置。
【請求項１１】
前記ラッチ部材は、前記梁の下に延伸し、前記パネルをまたいで、前記直立原位置にそれらを保持し、前記パネルホルダの前記ハンドルは、前記梁の上方で延伸し、前記ハンドルは、前記パネルの上方の前記ラッチ部材を上昇させて、前記パネルを解除し、かつ、前記パネルが前記の通路閉鎖位置に対して下方に重力の作用により回転することを可能にするように、上方に後退可能である、請求項１０に記載の装置。
【請求項１２】
前記のホルダは、各前記ラッチ部材から上方に垂直に延伸するラッチキャッチスタッフを含み、前記ラッチ部材が延伸される静止の位置において各前記のスタッフをキャッチ及び維持するように、前記ラッチを引き込むために前記ハンドルを上方に移動する際にそのようなキャッチを維持するように、そして、水平へと回転するために前記パネルを十分に解放するために前記ラッチ部材が引き込まれるときに、前記のスタッフを係脱するように、前記ハンドルは構成され、前記バネが前記ラッチ部材を延伸することを可能にする、請求項９に記載の装置。
【請求項１３】
各前記ラッチ部材は、その下方部分に、パネルの上方内側の表面との摺動係合のために構成される外面を有し、水平から上昇するとき、前記パネルを前記ラッチ部材の前記外面上で摺動させ、かつ、前記ラッチ部材を引き込み位置に押し込み、前記パネルが前記ラッチを通過して前記直立原位置に達することを可能し、前記直立原位置では、前記バネが前記ラッチ部材を延伸して前記の原位置に前記パネルを保持する、請求項１２に記載の装置。
【請求項１４】
前記１つ以上のパネルは、前記支持体内に水平に配置され、かつ、前記支持体によって支持される少なくとも１つの軸において回転可能な、少なくとも１つのマウントに取り付けられる、請求項１に記載の装置。
【請求項１５】
静止部材と、可動部材と、前記静止部材及び前記可動部材を相互連結するヒンジピンとを有する、少なくとも１つのヒンジマウントを含み、前記静止部材は前記支持体に接続され、各１つ以上のパネルは近位部及び遠位部を有し、各前記可動ヒンジ部材は、前記１つ以上のパネルの前記近位部に付着する、請求項１４に記載の装置。
【請求項１６】
前記通路にわたって、支障とならないように水平に架設し、かつ、前記底部開口に近接する前記支持体の両側部に接続されるヒンジ取付部材と、前記通路にわたって、支障とならないように水平に架設し、かつ、前記上部開口に近接する前記支持体の両側部に接続される梁とを含み、そのような両側部は、前記ヒンジ取付部材が接続される側部と同じである、請求項１５に記載の装置。
【請求項１７】
前記ヒンジ取付部材を前記梁に接続する複数のストラップを含む、請求項１６に記載の装置。
【請求項１８】
垂直な棒を備えるテルテールパネル位置指示器を含み、前記棒は、前記１つ以上のパネルが直立原位置にあるとき、前記大気開口よりも低い高さに位置する上方末端と、前記１つ以上のパネルが前記の通路閉鎖位置へと下方に回転するとき、前記マウントからの突出に移動可能に接続されて、前記棒を垂直に上方に移動して、前記大気開口上方に前記上方末端を持ち上げるようにする下方末端と、を有する、請求項１４に記載の装置。
【請求項１９】
前記棒の前記上方末端は、持ち上げられるときに容易に視認可能に識別できるためにマーク付けされる、請求項１８に記載の装置。
【請求項２０】
換気シャフトを介してシャフトの直線状の大気開口に流体連通する地下換気ダクトへと前記換気シャフトを介した通常通りの換気を可能にするための装置であって、浸水の脅威の下、地表の水が地下換気ダクトへと下方に流れ込むことを防止するように動作可能である当該装置は、
四面のボックスであり、前記ボックスは、前記ボックスを介して前記大気開口への前記の換気ダクトの流体連通のために、前記ボックスの上部開口と底部開口との間の通路を画定する前記大気開口と前記の換気ダクトとの間の前記シャフト内に内嵌するようにサイズ決めされた側壁を含み、前記ボックスは、前記シャフトの上部を覆って前記シャフト内に前記ボックスを吊り下げるために、前記側壁を横断するフランジを更に含む、四面のボックスと、
前記通路にわたって、支障とならないように水平に中央に架設し、かつ、前記上部開口に近接する前記ボックスの側壁に対向する、梁と、
前記底部開口に近接する前記支持体内にあり、前記支持体に接続され、かつ、前記通路を塞がない、１つ以上のストップと、
前記通路にわたって、支障とならないように水平に中央に架設し、かつ、前記底部開口に近接する前記ボックスの側壁に対向するヒンジ取付部材と、
複数のヒンジ部材であり、各々は静止部材と、可動部材と、前記静止部材及び前記可動部材を相互連結するヒンジピンとを有し、前記静止部材は、前記ヒンジ取付部材に接続される、複数のヒンジ部材と、
少なくとも一対の対向するパネルであり、前記の対の各パネルは近位部及び遠位部を有し、前記可動ヒンジ部材は、前記通路を塞ぐことなく直立原位置へと、あるいは、直立原位置から、互いに対向する方向における前記の対になったパネルの回転のために、前記パネルの前記近位部に付着し、前記の対になったパネルは、重力回転において、前記直立原位置から下方通路閉鎖位置へと降下し、前記下方通路閉鎖位置では、更なる回転は前記１つ以上のストップによって防がれ、前記の通路閉鎖位置へと重力の作用により回転するとき、各パネルは、前記通路を閉鎖するプロファイルを有する、少なくとも一対の対向するパネルと、
前記直立原位置に前記パネルを保持する１つ以上の可動ラッチ部材を有するパネルホルダであって、前記のホルダは、該１つ以上の可動ラッチ部材を動かして前記パネルを解除し、前記パネルを前記の通路閉鎖位置へと下方に重力の作用により回転にさせるように手動で操作可能なハンドルを有する、パネルホルダと、
を含む、装置。
【請求項２１】
垂直な棒を備えるテルテールパネル位置指示器を含み、前記棒は、前記パネルが直立原位置にあるとき、前記大気開口よりも低い高さに位置する上方末端と、前記パネルが前記の通路閉鎖位置へと下方に回転するとき、前記可動ヒンジ部材からの突出に移動可能に接続されて、前記棒を垂直に上方に移動して、前記大気開口上方に前記上方末端を持ち上げるようにする下方末端とを有し、前記棒の前記上方末端は、持ち上げられるときに容易に認識可能に識別できるためにマーク付けされている、請求項２０に記載の装置。
【請求項２２】
閉鎖可能かつ再度開放可能な排水管は、前記パネルのうちの少なくとも１つに提供される、請求項２０に記載の装置。
【請求項２３】
前記パネルは、前記パネルを前記の原位置に持ち上げるために、表面に面する大気開口上にハンドルを有する、請求項２０に記載の装置。
【発明の詳細な説明】
【技術分野】
【０００１】
（連邦政府による資金提供を受けた研究開発の記載）  該当しない。
【０００２】
（関連出願の参照）
本出願は、２０１３年１０月６日に出願された米国仮特許出願第６１/８８７，４１６号の出願日の利益を主張し、その開示をここに参照として援用する。
【０００３】
本発明は、地下換気路に氾濫水が侵入することの防止に関する。
【背景技術】
【０００４】
地下室又は地下トンネルを地表の空気に接続する換気ダクトを介して、地下トンネル及び地下室へと侵入し、かつ、氾濫する地表の雨水は、制限なく、道路の車両、電車及び地下鉄のための地下輸送トンネルや、例えば、水力発電所などのために使用される接続トンネル及びシャフトの複合体と、あるいは、換気を必要とする、地下変圧室などの地下ユーティリティとに関連する地下室に影響を及ぼす。
【０００５】
典型的な地下鉄の換気設備において、換気ダクト又はシャフトは、駅近くの地下鉄システムに組み込まれ、電車が駅に接近すると、淀んで押された空気を排出し、かつ、電車が駅を離れると、新鮮な外気を取り込む。また、移動する電車によってトンネルから高速で強制的に送られる空気の「ピストン効果」を低減させる。一般に、換気ダクトは、地下トンネルから連通して、歩道などの地上レベルにおける雰囲気に開かれた地上レベルの下の換気シャフト構造において終了し、歩道では、開口が地下鉄の格子によって覆われる。
【０００６】
地下鉄は、水を調整するためのシステムを有する。雨が降ると、階段の吹き抜けを流れて、プラットフォームに降下し、次いで、線路へと流れ、一部は、地表の格子を介して換気システムへと入る。線路下の排水管は、地下鉄の線路の隣にあるポンプ室内の地下排水槽へと水をパイプで運ぶ。ポンプは、水を引き上げて路上の雰囲気へと開口する救済マンホール（ｒｅｌｉｅｆ  ｍａｎｈｏｌｅ）を押圧し、そこから、重力下の排水が都市の雨水管へと流れ込む。問題は、豪雨の際、雨水管が圧倒され、水を道路へと流し戻し、道路が水で浸水すると歩道を水浸しにし、地下鉄の格子を介して、換気システム内、次いで、トンネルや線路にまで水が押し寄せてしまうことである。ポンプシステムは、浸水した道路に水を戻すことしかできず、そこから、換気システムへと流れ込む浸水プール（ｆｌｏｏｄ  ｐｏｏｌ）に水が再度進入し、地下鉄の浸水を制御するポンプシステムを駄目にしてしまう。ニューヨークやマンハッタン南端部などのような都市では、問題は特に深刻である。これらの都市は、低地にあり、高潮に対して脆弱性があり、地上レベルの格子、吹き抜けの階段及び地下鉄内へと流れ込む水の入口の他のポイントが点在している。
【０００７】
換気ダクトを介して地下システムへと開口する歩道の格子から流出する水の侵入を低減させるための解決方法の１つとして、２００７年の豪雨による浸水以降、ニューヨーク市のマンハッタン、クィーンズ、ブルックリンなどの一部の地域で行われたような、歩道レベルよりも上に地下鉄の換気格子を上昇させることがある。これは、導入するのに費用がかかるだけでなく、歩行者に利用可能の空いている歩道エリアの大部分を犠牲にしてしまう。２０１３年のスーパーストームサンディ以前は、地下鉄の浸水の前兆となる大雨に加えて、高潮や満潮が予報されると、作業員らは土嚢に頼り、ベニヤ板を付けて地下鉄の換気格子を覆い、浸水を防ごうとした。サンディは、地下鉄の浸水危険性に対する証拠となり、地下の構造物に換気口がつけられた。サンディによる地下鉄の浸水から明らかになったことであるが、解決策として、ベニヤ板を付けて短時間で多くの換気口の格子を覆うことは、十分な作業ではなく、集約的な物資があまりに少なくて手遅れとなる可能性がある。歩道の換気口の格子を介した浸水を防ぐ、より簡単で、迅速で、低コストで、より効果的な方法が求められている。
【図面の簡単な説明】
【０００８】
【図１】一対のパネルを用いる本発明の例示的な実施形態の等角図である。
【図２】図１の実施形態の側面図である。
【図３】図１の実施形態の上面図である。
【図４】図３の断面線４−４に沿う図１の実施形態の断面図である。
【図５】実施形態の特定の内部構造物を明らかにするように除去された側壁を有する、図１の実施形態の等角図である。
【図６】図７〜１２に図示した起動シーケンスにおいて解除されたパネルの軌道を破線矢印で示した図１〜図５の実施形態の概略側面図（側壁は除去）である。
【図７】実施形態の静止位置を示す、図６の実施形態の概略側面図（側壁は除去）である。
【図８】図１〜図６の実施形態の起動シーケンスにおける第１段階を示す、図７から前進した概略図である。
【図９】図１〜図６の実施形態の起動シーケンスにおける次の段階を示す、図８から前進した概略図である。
【図１０】図１〜図６の実施形態の起動シーケンスにおけるスナップショット（ｓｎａｐ  ｓｈｏｔ）した解除されたパネルを示す、図９から前進した概略図である。
【図１１】図１〜図６の実施形態の起動シーケンスにおける「スナップショット」した、更に解除されたパネルを示す、図１０から前進した概略図である。
【図１２】図１〜図６の実施形態の起動シーケンスにおける通路閉鎖位置段階におけるパネルを示す概略図である。
【図１３】図１〜図６の実施形態の動作における、パネルを上昇させる段階を示す、図１２から前進した概略図である。
【図１４】図１〜図６の実施形態の動作における、上昇したパネルを示す、図１３から前進した概略図である。
【図１５】位置に係止された上昇したパネルを有する図１〜図６の実施形態を示す、図１４から前進した等角図である。
【図１６】一対のパネルを利用する本発明の別の例示的な実施形態の等角図である。
【図１７】構造を明らかにするために除去されたパネル及びパネルホルダと共に、時計回りに９０°回転した図１６の実施形態の別の等角図である。
【図１８】図１６の実施形態の底部におけるフレームワークの上面図である。
【図１９】図１７に描いた実施形態の上面図である。
【図２０】中間位置の下降又は上昇において、含まれ、かつ、示されたパネルを有する図１６に描いた実施形態の上面図である。
【図２１】図２０に描いた実施形態の縦断面の概略図である。
【図２２】図１６〜図２１の実施形態における係止された直立位置におけるパネルの縦断面の等角ズームした図である。
【図２３】下降した通路遮断位置におけるパネルを示す図１６〜図２２の実施形態の縦断面の下方正面図である。
【図２４】通路遮断位置にあるパネルであり、該パネルに対するマウントを示す図２３に示すものよりも高い高さでのズームした正面図である。
【図２５】中間位置の下降又は上昇において、パネルを有する図２４に示すマウントの等角図である。
【図２６】単一のパネルが利用された本発明の別の例示的な実施形態の縦断面図である。
【発明を実施するための形態】
【０００９】
本発明によると、格子を介して流れ込む地表の水からの地下浸水を防ぐように動作可能な、浸水の脅威の下、大気に開口する格子によって覆われた換気シャフトを介して、地下トンネルのために、通常通りの換気を可能にするための装置が提供される。本明細書中に記載されたそのような装置の例示的な実施形態において具現化された概念は、任意のシステムに適用され、該システムでは、大気開口が、地下室又は地下トンネル、あるいは、換気を必要とする他の地下構造物のための換気ダクトと連通し、その開口を介して、ハリケーン、熱帯低気圧又はその他によって推進される（ｐｒｏｐｅｌｌｅｄ）大雨又は高潮によるかなりの量の水が進入することができる。
【００１０】
本明細書中に記載された例示的な実施形態は、格子の下の換気シャフト内に嵌合するアセンブリを含む。回転可能に取り付けられ、かつ、解除可能なホルダにより直立原位置（ｕｐｒｉｇｈｔ  ｈｏｍｅ  ｐｏｓｉｔｉｏｎ）に保持される１つ以上のパネルが、いつも通りに、通常の時間で換気を可能にするが、浸水の脅威にさらされると、それらのパネルは、１つ以上のパネルが重力の下、アセンブリの底部に近い位置まで、下方に回転可能にスイングし、地下トンネル又は地下室に続く換気ダクトに水が侵入するのを防ぐことを可能にするように、解除可能である。一例示的な実施形態において、本発明を具現化する装置のホルダは、１つ以上のパネルの手動解除のために、手動でアクセス可能である。これは、本発明の換気シャフトガードを運用する乗務員にとって有益であり、そこでは、乗務員のメンバーがシャフト間を分散及び移動し、シャフトのパネル閉鎖を作動させる。一例示的な実施形態において、本発明を具現化する装置のホルダは、電気作動式変換器によって解除可能でよい。従って、例えば、本発明に従った装置によって全てガードされた、地下の線路の進行に沿う複数の換気シャフトは、電気作動式変換器によって解除可能なパネルホルダを有することができ、変換器を使用して、シャフトにあるか、あるいは、シャフトに隣接する、隠れスイッチを乗務員が押すか、あるいは、中央オペレーションセンターなどからの遠隔操作によって、閉じることができる。当技術分野で公知であるように、変換器は、電気エネルギーを線形の機械的運動に変換する。例として、ソレノイドがある。例示的な実施形態において、本発明を具現化する装置のホルダは、パネルの手動解除のために手動でアクセス可能であり、かつ、電気作動式変換器により解除可能でもある。電力が失われた場合、手動の選択を行うことが可能である。
【００１１】
例示的な実施形態において、下方に回転可能な１つ以上のパネルを使用することができ、地下の換気ダクトを換気シャフトの大気開口と流体連通する換気路を塞がないように、該パネルは直立原位置に取り付けられることができ、浸水の脅威がないときには、いつも通りの換気を可能にする。一例示的な実施形態において、単一のパネルが、原位置においてそのような通路の一側部に取り付けられ、通路全体にわたって原位置から通路閉鎖位置へと、重力の作用により単独で降下し、浸水から地下換気ダクトを防御する。別の実施例において、一対のパネルが通路の両側部に取り付けられ、互いに向って下方に、原位置から通路閉鎖位置へと重力の作用により単独で降下し、通路を閉鎖するように結合する。更に別の例示的な実施形態において、一対のパネルは、原位置から下方通路閉鎖位置へと互いに対向する方向において回転するよう、通路内の中央に取り付けられる。対となったパネルの利点は、単一の背の高いパネルが閉鎖するよう実現可能であるものよりも、対となったパネルは、より幅の広い通路を閉鎖するように使用することができる点である。
【００１２】
例示的な実施形態において、原位置では、１つ以上のパネルが、シャフトを覆う大気に開口する格子を介して、歩行者の視界から離れて挟装されている（ｔｕｃｋｅｄ）。例示的な実施形態において、１つ以上のパネルを下降させることは、浸水の脅威がないとき、通常見えないところにある「テルテール（ｔｅｌｌ−ｔａｌｅ）」パネル位置指示器を持ち上げることになる。１つ以上のパネルが下降することにより、格子表面上方にテルテール指示器が持ち上げられ、地上の視察者にパネルが浸水防御のために作動されることを知らせる。視認可能な検出を一瞬で行うために、指示器は、例えば特徴的な色によって、適切にマーク付けされる。これは、視察者が多くの歩道の換気口部分の上を迅速に移動して、防御される部分のエリアが、乗務員の監督の下、作動されたか、あるいは、まだ作動されていないかを判断することを可能にする。
【００１３】
本発明の例示的な実施形態の説明において、本明細書の一部を形成し、例示によって示される添付の図面や、本発明を実施することができる特定の実施形態を参照する。本明細書中に開示された特定の詳細は、あらゆる場合において、本発明の概念を実施し得る具体的な方法を提示する非限定的な実施態様である。これは、それらの概念と一致する事実上任意の適切な詳細なシステム、構造又は様式において、本発明を利用することを当業者に教示する働きをする。特定の記載された実施態様及びそれら実施形態の詳細に対する様々な変更及び代替を本発明の範囲内で行うことができるということが分かるであろう。本明細書に記載された発明的な概念の範囲内で、並びに、本明細書における特定の実施形態において、多くの様々な異なる実施態様が行われ得るので、本明細書中の詳細は、限定的でなく、例示的であるとして解釈されるということが理解されるべきでる。
【００１４】
本明細書中に開示された水が換気ダクトへと侵入するのを防ぐための、概念の適用の例示的な目的に関し、具現化された概念は、特定の換気環境を参照して説明される。例示的な適用とは、地下鉄システムのためのものである。本明細書中に例として記載された特定の実施形態において、予測されることとして、少なくともニューヨーク市では、一般的に矩形である、地下鉄換気システムのための格子を付けた地上レベルの歩道の開口に関し、大気開口は直線状の形を有し、該大気開口を介して、氾濫水が侵入する。特定の実施形態の説明が直線状の形に関連しているが、特定の環境に関して、本発明は、開口が直線状であったり、本発明の実施形態が直線状の形と一致したり、大気開口が地上レベルにあることを必要としない。本発明の要素は、下方に垂直に突出した寸法の任意の換気シャフト表面開口内に嵌合するように構成されることができ、該換気シャフト表面開口は、任意の地下トンネル、地下室、地下空間又は他の地下構造物に役立ち、直線状、円形、楕円又はその他の形でよい。
【００１５】
実施態様の詳細な記載において使用される「上方（ｕｐｐｅｒ）」、「下方（ｌｏｗｅｒ）」、「底部（ｂｏｔｔｏｍ）」、「上部（ｔｏｐ）」、「横断（ｔｒａｎｓｖｅｒｓｅ）」、「直交（ｐｅｒｐｅｎｄｉｃｕｌａｒ）」、「垂直（ｖｅｒｔｉｃａｌ）」、「水平（ｈｏｒｉｚｏｎｔａｌ）」などのような様々な方向は、図面と共により容易な説明に関してのみ行われる。本発明の概念を具現化する本明細書中に詳細される例示的な実施態様と同じ機能を遂行し、かつ、同じ結果を達成しながら、構成要素を異なる方向に向けることができ、そのような用語は、実施態様が例示する概念を限定するものとして理解されてはならない。
【００１６】
用語「直交（ｐｅｒｐｅｎｄｉｃｕｌａｒ）」は、もし直角が、直交として記載された要素の配置及び機能に物質的に悪影響を及ぼさないというわけではない場合の程度を参照すると、実質的に直角にあることを意味する。用語「垂直（ｖｅｒｔｉｃａｌ）」及び「垂直に（ｖｅｒｔｉｃａｌｌｙ）」は、文字通りの垂直を含むが、これらに限定されず、垂直として記載された要素の機能に物質的な悪影響を及ぼさないというわけではない場合の程度に、地平線に対して上下に配向することを概略的に意味する。同様に、用語「水平（ｈｏｒｉｚｏｎｔａｌ）」又は「水平な（ｈｏｒｉｚｏｎｔａｌｌｙ）」は、文字通りの水平を含むがこれに限定されず、水平として記載される要素の機能に物質的な悪影響を及ぼす程度に、地平線に対するレベルを越えないことを概略的に意味する。
【００１７】
本明細書中で使用されように、特許請求の範囲及び／又は明細書中の「含む（ｃｏｍｐｒｉｓｉｎｇ）」（あるいは、同義語の「有する（ｈａｖｉｎｇ）」又は「包含する（ｉｎｃｌｕｄｉｎｇ）」）という用語と共に使用されるときの語「ａ」又は「ａｎ」の使用は、「１つ（ｏｎｅ）」を意味することができるが、それは「１つより多く（ｏｎｅ  ｏｒ  ｍｏｒｅ）」、「少なくとも１つ（ａｔ  ｌｅａｓｔ  ｏｎｅ）」及び「１つ又は１つよりも多く（ｏｎｅ  ｏｒ  ｍｏｒｅ  ｔｈａｎ  ｏｎｅ）」の意味とも一致する。また、本明細書中で使用されるように、表現「〜に接続された（ｃｏｎｎｅｃｔｅｄ  ｔｏ）」は、直接的か、あるいは、中間構成要素を介して接合されるか、あるいは、連通して配置されることを意味する。
【００１８】
例示的な実施形態において、換気シャフトを介した地下の換気ダクトへの通常通りの換気を可能にするための装置であり、該地下換気ダクトは、換気シャフトを介してシャフトの大気開口に流体連通する。浸水の脅威の下、地表の水が地下換気ダクトへと下方に流れ込むことを防ぐように動作可能な装置は、シャフト内に懸架するための支持体を含む。支持体を介した大気開口への換気ダクトの流体連通のために、支持体は、支持体の上部開口と底部開口との間の通路を画定する。例示的な実施形態において、底部開口に近接して、通路を塞がずに、１つ以上のストップは、支持体の上部開口の下の支持体に接続され、かつ、該支持体内に配置される。１つ以上のパネルは、パネルが直立原位置から、あるいは、直立原位置へと回転するために支持体に取り付けられ、該直立原位置では、パネルは通路を塞がない。１つ以上のパネルは、通路閉鎖位置へと重力の作用により回転するとき、通路を閉鎖するプロファイルを有する。パネルホルダは、直立原位置に１つ以上のパネルを保持する可動部材を含み、そして、パネル上方の可動部材を移動して、パネルを解除し、かつ、パネルが直立原位置から下方通路閉鎖位置へと下方に重力の作用により回転することを可能にするように動作可能なハンドルを含む。該下方通路閉鎖位置では、更なる回転は１つ以上のストップによって防がれる。
【００１９】
本発明の例示的な実施形態が取り付けられ得る換気シャフトは、垂直でなくてもよく、支持体の通路の配向は、垂直でなくてもよいが、水平に対してある角度を有し、これは、パネルが支持体内の底部開口を閉鎖する位置へと、それ自体の重さの下、重力の作用により回転することを可能にする。たいがい、本発明の例示的な実施形態の支持体が取り付けられるシャフトは、垂直であろう。その場合、パネルの回転軸は水平である。
【００２０】
本発明の例示的な実施形態において、支持体は、スペースフレームでよい。スペースフレームを利用する本発明の例示的な実施形態において、スペースフレームは、シャフト内で支持体を懸架するために、シャフトの壁の上部にわたって延伸するように構成されたフランジを含む。
【００２１】
本発明の別の例示的な実施形態において、支持体は、ライナ壁（ｌｉｎｅｒ  ｗａｌｌ）であり、換気ダクトと大気開口との間にシャフトを内部で並べるようにサイズ決めされている。ライナ壁を利用する本発明の例示的な実施形態において、ライナ壁は、ライナ壁を横断してシャフトの壁の上部にわたって延伸するフランジを有するフレームから、シャフト内で支持される。
【００２２】
大気開口が直線状である垂直換気シャフトに適用するための例示的な実施形態において、装置の支持体は、四面ボックス（ｆｏｕｒ−ｓｉｄｅｄ  ｂｏｘ）を含み、該四面ボックスは、換気ダクトと大気開口との間の垂直シャフト内に内嵌するようにサイズ決めされた側壁を有する。そのような支持体は、垂直シャフトの上部を覆うための前記側壁を横断するフランジを有して、前記シャフト内で支持ボックスを保持する。例示的なボックスの実施形態において、互いに隣接する側壁は、第１の曲率半径を有する丸みを帯びたコーナー部を有する基部を含むことができ、支持された回転可能なパネルの遠位部は、通路閉鎖位置へと回転するときにスイープ（ｓｗｅｅｐ）する、側壁コーナー部の前記第１の曲率半径と実質的に同じ曲率半径を有する丸みを帯びたコーナー部を有する。例示的な実施形態において、パネルは、通路閉鎖位置にあるときに通路を密封するためのシールを有する。
【００２３】
例示的な実施形態において、パネルは、支持体によって支持され、かつ、支持体内に水平に配置される、少なくとも１つの軸上で回転可能な、１つ以上のマウントに取り付けられる。一実施形態において、マウントは、少なくとも１つのヒンジ部材を含み、該ヒンジ部材は、装置の支持体に接続された静止部材と、可動部材と、静止部材及び可動部材を相互連結するヒンジピンとを含む。例示的な実施形態において、支持体は、支障とならないように支持体の通路にわたって水平に架設し（ｓｐａｎｎｉｎｇ）、かつ、底部開口に近接する支持体の両側部に接続するヒンジ取付部材を含むことができ、静止部材は、ヒンジ支持部材に接続することができる。各パネルは、近位部及び遠位部を有し、各可動ヒンジ部材は、各パネルの近位部に付着する。支障とならないようにとは、ヒンジ取付部材が通路を介した空気の移動を阻止しないということを意味する。
【００２４】
例示的な実施形態において、梁（ｂｅａｍ）は、支持体の通路にわたって、支障とならないように水平に架設し、かつ、上部開口に近接する支持体の両側部に接続する。支障とならないようにとは、梁が通路を介した空気の移動を阻止しないことを意味する。一実施形態において、そのような両側部は、ヒンジ取付部材が接続される側部と同じであり、梁及びヒンジ取付部材は、通路の中央にある。一実施形態において、複数のストラップがヒンジ取付部材を梁に接続する。
【００２５】
本発明を具現化する装置は、歩行者の視界に入らない、格子によって通常覆われた大気開口の下の位置にテルテールパネル位置指示器を有することができる。例示的な実施形態において、指示器は、通路閉鎖位置に向かう１つ以上のパネルの重力回転により動かされた構造物によって視認可能な位置へと移動可能であり、かつ、原位置に戻るパネルの回転において、視界に入らない位置へと戻るように移動可能である。
【００２６】
例示的な実施形態において、例示的に本発明を具現化する装置のテルテールパネル位置指示器は、垂直な棒を含み、該垂直な棒は、１つ以上のパネルが直立原位置にあるとき、大気開口よりも低い高さに位置する上方末端と、１つ以上のパネルが通路閉鎖位置へと下方に回転するとき、前記マウント（非制限的な例として、可動ヒンジ部材から延伸するフィンガー）からの突出に移動可能に接続されて、棒を垂直に上方に移動して、大気開口上方に上方末端を持ち上げる下方末端とを有する。一例示的な実施形態において、棒の上方末端は、持ち上げられるときに視認可能な識別が容易にできるように色でマーク付けされ、例えば、鮮明な蛍光の安全色か、あるいは、他の照明が故障又は利用可能でない場合、ブラックライトにより見えるものでマーク付けされ得る。
【００２７】
例示的な実施形態において、直立原位置へと、あるいは、直立原位置から、互いに対向する方向におけるパネルの回転のために、一対のパネルが通路の中央に取り付けられ、パネルホルダは、一対のラッチを含み、上述のパネルホルダの可動部材は、一対のラッチ部材を含む。ラッチは、ラッチ部材をパネルの上方部分に移動させ、かつ、原位置においてパネルを直立に保持するように配置される。各ラッチ部材は、パネルにおけるその保持を解放して、パネルが直立位置から水平位置へと回転することを可能にするように移動可能である。ハンドルは、ラッチ部材を回転する際に上方に移動することができるか、あるいは、ラッチ部材を直線的に上方に移動させることができる。例示的な実施形態において、ラッチはバネを含み、ラッチ部材の移動は、直線的に垂直であり、ラッチは、バネ付勢されてラッチ部材を垂直に延伸する。延伸されたラッチ部材の引き込み（ｒｅｔｒａｃｔｉｏｎ）は、バネを負荷して、引き込みに対抗する力を加え、ラッチ部材を延伸するようにする。
【００２８】
上述のように、実施形態は、装置の支持体内部の通路にわたって、支障とならないように水平に架設する梁を含むことができる。そのような梁を含む例示的な実施形態において、パネルホルダのラッチ部材は、梁の下に延伸し、パネルにまたがって直立原位置にそれらを保持する。パネルホルダのハンドルは、梁の上方に延伸し、そして、パネル上方のラッチ部材を上昇させて、パネルを解除し、かつ、パネルが通路閉鎖位置へと重力の作用により下方に回転することを可能にするように上方に引き込み可能である。
【００２９】
別の例示的な実施形態において、ラッチはバネを含み、パネルホルダは、各ラッチ部材から上方に垂直に延伸するラッチキャッチスタッフを含み、ラッチ部材が延伸される静止の位置において各スタッフをキャッチ及び維持するように、ラッチを引き込むためにハンドルを移動する際にそのようなキャッチを維持するように、そして、通路閉鎖位置へ回転するためにパネルを十分に解放するためにラッチ部材が引き込まれるときに、スタッフを係脱するように、ハンドルは構成され、バネがラッチ部材を延伸することを可能にする。
【００３０】
次に続く段落に記載されたタイプの例示的な実施形態において、各ラッチ部材は、その下方部分に、パネルの上方内側の表面と摺動係合するために構成された外面を有し、水平から上昇するとき、パネルをラッチ部材の外面上で摺動させ、かつ、ラッチ部材を引き込み位置に押し込み、パネルがラッチを通過して直立原位置に達することを可能にする。該直立原位置では、バネがラッチ部材を延伸して原位置にパネルを保持する。
【００３１】
支障とならないように水平に前記通路に梁が架設する上述の実施形態において、パネルの直立原位置は、開口上方の格子によって通常覆われた大気開口を介して、歩行者から見えずに、梁の下にパネルを挟装する。一実施形態において、パネルホルダもまた、歩行者から見えずに、格子によって通常覆われた大気開口の下で視界に入らない。パネル及びホルダは、歩行者の視界から離れて配置され、破壊者ら(ｖａｎｄａｌｓ)によるパネルの不要な配置や装置の不正操作を避けられない場合を低減させる。
【００３２】
例示的な実施形態の説明において、通路閉鎖位置とは、パネルが水平にある位置である。本発明の概念はこの配置に限らない。パネルの下降を止めるストップは、水平上での下方移動を止めるよう、かつ、換気路を閉鎖するように配置され得る。説明した実施形態は、実施例の説明に役立つだけで、本発明の概念は実施例において実施され得る。
【００３３】
ここで図面を参照し、まず、図１〜図５を参照すると、本発明に従った装置１０の例示的な実施形態が描かれ、本発明は、換気シャフト１２の上にある格子１６において、地表の水が大気開口１４に換気シャフト１２を介して流体連通する地下の換気ダクトへと下方に流れ込むことを防ぐための発明である。図１及び図２は、換気シャフト１２内に取り付けられた装置１０を描く。本実施形態において、換気シャフトは、矩形であり、垂直壁２２（２２ａ、２２ｂ、２２ｃ、２２ｄ）を含む。垂直な換気シャフト１２と流体連通する換気ダクトは、周辺環境（ｉｍｍｅｄｉａｔｅ  ｅｎｖｉｒｏｎｍｅｎｔ）の一部ではないので、描かれておらず、周辺環境では、装置は適合するが、ベントシャフト１２と流体連通するように理解されるだろう。
【００３４】
装置１０は、独立型ドロップインアセンブリ（ｓｅｌｆ−ｃｏｎｔａｉｎｅｄ  ｄｒｏｐ−ｉｎ  ａｓｓｅｍｂｌｙ）を含む。ドロップインとは、格子１６が除去された後、アセンブリがシャフト上方から換気シャフト１２内に下降されることを意味する。アセンブリ１０は、四面の垂直なボックス１８を含み、ボックス１８は、底部及び上部で開口し、上方フランジ２０（２０ａ、２０ｂ、２０ｃ、２０ｄ）を有し、上方フランジ２０（２０ａ、２０ｂ、２０ｃ、２０ｄ）は、ボックスの側面に対して直交して水平に延伸し、かつ、換気シャフト１２の垂直壁２２（２２ａ、２２ｂ、２２ｃ、２２ｄ）で静止する。ボックス１８の側壁２４（２４ａ、２４ｂ、２４ｃ、２４ｄ）は、フランジ２０によって支持され、かつ、フランジ２０から吊り下げられ、フランジ２０は、順に、ベントシャフト壁２２ａ、２２ｂ、２２ｃ、２２ｄによって支持される。
【００３５】
図１及び図２において、シャフト壁２２ａは、側壁２４ａの中央部分のように、人工的に除去された中央部分と共に図示され、アセンブリ１０の内部構造物の一部は、斜視図から視認可能である。図５において、側壁２４ａは、全て除去され、側壁２４内部のアセンブリ１０の構造の一部が斜視図から見ることができる。図４は、図３の線４−４に沿った断面におけるアセンブリ１０を図示する。図６は、別の縦断面図である。
【００３６】
ボックス１８の４つの側壁２４ａ、２４ｂ、２４ｃ、２４ｄは、４つの垂直な換気シャフト壁２２ａ、２２ｂ、２２ｃ、２２ｄの内部に垂直に嵌合する。側壁２４ａ、２４ｂ、２４ｃ、２４ｄは、側壁２４を介して格子１６によってガードされた大気開口１４へと上方に、換気ダクト（図示しないが、垂直なベントシャフト１２に供給すると理解される）の流体連通のために上部開口２６及び底部開口２８を一緒に画定する。そのように取り付けられるので、四面ボックス１８は、上部及び底部で開口する換気シャフトの４つの側面のために上部及び底部で開口する内張り（ｌｉｎｉｎｇ）を形成する。
【００３７】
側壁２４は、複数のストップ３０ａ、３０ｂ、３０ｃ、３０ｄを支持し、これらストップは、側壁の垂直に同一な下方範囲で、側壁２４ｄ及び２４ａ、２４ａ及び２４ｂ、２４ｂ及び２４ｃ、そして２４ｃ及び２４ｄの交点にそれぞれ配置される。ベースボード２７は、湾曲したコーナー部２７ａ、２７ｄを有し、これらコーナー部は、ストップ３０ａ及び３０ｄの真上に配置される。ベースボード２９は、湾曲したコーナー部２９ｂ、２９ｃを有し、これらは、ストップ３０ｂ及び３０ｃの真上にそれぞれ配置される。
【００３８】
ここで、追加的に図６〜図１５を参照すると、図１〜図５の実施形態は、側壁２４ａをちょうど過ぎた垂直部分により除去された側壁２４ａと共に図示され、ボックス１８の内部を見ることを可能にする。説明の更なる簡潔化のために、図１〜図６の実施形態における一部の追加的な詳細、例えばフランジ２０が、図７〜図１５では省略されている。対向する側壁２４ａ、２４ｃに直交する水平な心棒３２は、心棒３２を側壁２４の底部開口２８の上方に隣接して配置する軸受面上で固定支持される。一対のパネル３４、３６は、対向する側壁２４ａと２４ｃとの間で長手方向に架設し、かつ、それぞれ回転可能なマウント３５、３７によって、水平な心棒３２上に回転可能に取り付けられる。マウント３５は、パネル３４が反時計回りに下方に回転することを可能にし、マウント３７は、パネル３６が時計回りに下方に回転することを可能にする。図１〜図２、図４〜図６に描いたように、パネル３４、３６は、直立原位置にある。
【００３９】
パネル３４、３６は、少なくも上面において外皮（ｏｕｔｅｒ  ｓｋｉｎ）３８を有し（パネル３４、３６の表面は、直立原位置において対面する）、かつ、剛性のために内部交差筋交い（ｉｎｔｅｒｎａｌ  ｃｒｏｓｓ  ｂｒａｃｅｓ）３９を有する（例えば、図５）。パネル３４、３６が重力の作用により垂直から回転するとき、パネルが水平に配置されるであろう位置に配置されるストップ３０によって、回転を終了させるように、心棒３２の軸及びストップ３０の垂直配置は、内部交差筋交い１３９と共にパネル３４、３６の厚さに関連して調整される。パネル３４、３６は、水平へと重力の作用により回転するときに、ボックス１８の底部開口２８を十分に閉じるように、垂直な高さ４１を心棒３２の上方に有する。パネル３４は、その先端に丸みを帯びたコーナー部を有し、該コーナー部は、ベースボード２７のコーナー部２７ａ、２７ｄの曲率半径と実質的に同じ曲率半径を有する。パネル３６は、その先端に丸みを帯びたコーナー部を有し、該コーナー部は、ベースボード２９のコーナー部２９ｂ、２９ｃの曲率半径と実質的に同じ曲率半径を有する。ワイパーシール２１ａ、２１ｂは、パネルが心棒３２に回転可能に取り付けられる場合を除いて、パネル３４、３６の周辺にそれぞれ嵌合される。パネル３４に嵌合されたワイパーシール２１ａは、側壁２４ｄの内面と、側壁２４ａ及び２４ｃの左半分とを拭い（ｗｉｐｅ）、かつ、パネル３４が降下してストップ３０ａ、３０ｄ上に水平に静止すると、ベースボード２７の丸みを帯びたコーナー部２７ａ、２７ｄを含むベースボード２７を拭う。パネル３６に嵌合されたワイパーシール２１ｂは、側壁２４ｂの内面と、側壁２４ａ及び２４ｃの右半分とを拭い、かつ、パネル３６が降下してストップ３０ｂ、３０ｃ上で水平に静止すると、ベースボード２９の丸みを帯びたコーナー部２９ｂ、２９ｃを含むベースボード２９を拭う。ガスケットシール２３は、心棒３２上方でパネル３４、３６の基部の近位端に広がり、パネルの基部又は近位端において底部開口２８を密封する。パネル３４、３６及びベースボード２７、２９の丸みを帯びたコーナー部は、ワイパーシール２１ａ、２１ｂがパネルの周辺を完全に密封することを可能にし、該周辺では、パネルがパネルの側面に沿って交差もしている。
【００４０】
図６〜図１５を参照すると、参照符号４０で概略的に示されたホルダは、梁４２（適切には、図示したように、連結型押出アルミチューブ（ｉｎｔｅｒｃｏｎｎｅｃｔｅｄ  ｅｘｔｒｕｄｅｄ  ａｌｕｍｉｎｕｍ  ｔｕｂｉｎｇ））によって、パネル３４、３６の上方で支持される。梁４２は、側壁２４ａ、２４ｃの上方延伸（ｕｐｐｅｒ  ｅｘｔｅｎｄ）に固定される。ホルダ４０は、パネル３４、３６を図１〜図２、図４〜図９及び図１４〜図１５に描いた原位置に直立に保持する。ホルダ４０は、パネル３４、３６上の保持を解除するように移動可能であり、パネルが互いに離れて心棒３２に対して、パネル３４を反時計回りに、パネル３６を時計回りに回転させることを可能にし、ストップ３０ａ、３０ｂ、３０ｃ、３０ｄの位置によって固定された水平位置に下方に１／４回転して重力の作用によりスイングする。垂直な原位置から水平へのこの動作は、図１２〜図１４に描かれ、かつ、図６の破線矢印の進路で描かれている。
【００４１】
ホルダ４０は、一対のラッチ４６、４８を含み、これらラッチは、パネル３４、３６の外側の上方部分と並行してラッチ部材４７、４９を延伸するようそれぞれ配置され、パネル３４、３６を原位置において直立にそれぞれ保持する。そのような各ラッチ部材４７、４９は、それぞれパネル３４、３６におけるその保持を解放するよう引き込み可能であり、解放されたパネルが直立から水平の位置へと回転することを可能にする。例示的な実施形態において、ラッチ４６、４８は、ばね（視認可能でない）のための筐体を含み、ラッチ部材４７、４９は、パネル３４、３６の外側の上方部分に並行してそれらを延伸するようにばね付勢される（ｓｐｒｉｎｇ  ｂｉａｓｅｄ）（ここでの、外側とは、パネルが水平へと下降されるとき、ボックス１８内で下方に面する側面を意味する）。部材４７、４９の引き込みは、バネを負荷して、引き込みに対抗する力を加えて、ラッチ部材４７、４９の再延伸のためにラッチをステージ化（ｓｔａｇｅ）する。
【００４２】
例示的な実施形態において、図７等を特に参照すると、ホルダ４０は、一対のスタッフ５０、５１を含む。スタッフ５０は、ラッチ部材４７から上方に、垂直に延伸し、スタッフ５１は、ラッチ部材４９から上方に、垂直に延伸する。ハンドル５２は、（ｉ）ハンドル５２がラッチ部材４７、４９の延伸する位置にあり、かつ、パネル３４、３６をそれぞれ原位置において直立に保持しているとき、スタッフ５０、５１を把持するように（図７）；（ｉｉ）ラッチ部材４７、４９を引き込むようにハンドル５２が垂直に上方に手動で動かされるとき、そのような把持を維持するように（図８〜図９）；（ｉｉｉ）十分にパネル３４、３６を解除するようにラッチ部材４７、４９が引き込まれるとき、スタッフ５０、５１を係脱させるように構成され、パネルが重力の作用により水平へと回転することを可能にし、かつ、バネ付勢されたラッチ部材が再延伸することを可能にする（図１０〜図１２）。
【００４３】
例示的な実施形態において、ラッチ部材４７、４９は、パネル３４、３６の上方内側５５、５６をそれぞれ係合するために、それらの下方部分に外部カム面５３、５４をそれぞれ有し、水平から上昇するとき（図１３）に、パネル３４、３６の上方内側５５、５６を、カム面５３、５４に沿って摺動させ、かつ、バネ付勢されたラッチ部材４７、４９を引き込み位置に押し込み（図１４）、パネル３４、３６がラッチ部材４７、４９を通過し、それらの直立原位置に達することを可能にし、これは、直立原位置に達すると、バネ付勢されたラッチ部材４７、４９が、ラッチ部材を再延伸して原位置にパネルを保持することを可能にする（図１５）。
【００４４】
図１０〜図１３を特に参照すると、例示的な実施形態において、アセンブリ１０は、パネル位置指示器を有し、該パネル位置指示器は、パネル３４、３６が直立原位置にあるときに、格子１６の上部の下に引き込まれた上方末端６２と共に移動可能な垂直な棒６０を含む。パネル３４、３６が原位置から離れて水平へと回転するとき、パネル位置指示器の棒６０は、下方末端において、回転可能なマウント３５から突出するフィンガー３３に移動可能に接続されて（ピンによって締結されたクレビスによって）、パネル３４、３６が水平に配置されるときに棒の末端６２が格子１６の上方に突出する程度に棒６０を持ち上げる。棒の末端６２は、例えば、色でマーク付けされ、パネル３４、３６が水平位置に配置されることを確かめるように一瞬で簡単に認識できるようにする。そのように配置されると、パネルは、換気シャフト１２の内部のボックス１８に侵入する氾濫する地表の水が、ベントシャフト１２を地下構造物に接続する換気ダクトへと流れ込むことを防ぎ、これにより地下構造物は防御される。
【００４５】
図６を特に参照すると、実施形態において、複数のオーバーヘッドスティフナ（ｏｖｅｒｈｅａｄ  ｓｔｉｆｆｅｎｅｒｓ）７０ａ、７０ｂ、７０ｃ及び７０ｄは、側壁２４ｂ、２４ｄに並行して走り、対向する側壁２４ａ、２４ｃを相互連結及び固定し、そして、格子１６があるプラットフォームを選択的に提供する。パネル３４、３６の移動の円弧外部にある複数の内斜棚７２ａ、７２ｂは、側壁２４ａ、２４ｃを追加的に相互連結及び固定し、パネル３４、３６の遠位部から離れて、ボックス１８に侵入する水を案内し、パネル３４、３６の遠位部がストップ３０上にある場合、パネルが作動位置に降下されたときにボックス１８を密封するのに役立つ。
【００４６】
図１８等を参照すると、本発明の別の例示的な実施形態である装置１００示され、当該装置１００は、地表の水が地下換気ダクトへと下方に流れ込ことを防ぎ、地下換気ダクトは、換気シャフトを介してシャフトの直線状の大気開口に流体連通している。図１〜図１５の実施形態のように、装置１００は、一対のパネルを利用する。装置１００は、四面のボックス１１０を含み、ボックス１１０は、側壁フランジ１２０（１２０ａ、１２０ｂ、１２０ｃ、１２０ｄ）の上方範囲に側壁１２４（１２４ａ、１２４ｂ、１２４ｃ、１２４ｄ）を含む。側壁フランジは、シャフトにおいて垂直にボックス１１０を懸架するための換気シャフトの壁の上部にわたって延伸するために、側壁１２４を横断し、ボックス１１０を介して大気開口１１４に換気ダクトを流体連通するために、ボックス１１０の上部開口１２６と底部開口１２８との間の通路１２５を画定する。筋交い（ｃｏｒｎｅｒ  ｂｒａｃｅ）形状のストップ１３０ａ、１３０ｂ、１３０ｃ、１３０ｄ及び１３０ｅ（スティフナ支持体（ｓｔｉｆｆｅｎｅｒ  ｓｕｐｐｏｒｔ））は、底部開口１２８に近接する側壁１２４内にあり、かつ、側壁１２４に接続され、通路１２５を塞がない。より長いスティフナ支持体１３１は、側壁１２４ａ、１２４ｃに接続され、通路１２５にわたって架設する。隣接する側壁は、丸みを帯びたコーナー部１２７ａ、１２７ｄを有する基部１２７を各ストップ１３０ａ、１３０ｄ上方に、丸みを帯びたコーナー部１２９ｂ及び１２９ｃを有する基部１２９を各ストップ１３０ｂ、１３０ｃ上方に含む。丸みを帯びたコーナー部１２７ａ、１２７ｄ及び１２９ｂ、１２９ｃは、丸みを帯びたコーナー部の曲率半径を有する。
【００４７】
押出チューブを含む梁１４２は、通路１２５にわたって支障とならないように水平に架設し、かつ、上部開口１２６に近接するボックス１１０の対向した側壁１２４ａ、１２４ｃに接続する。ヒンジ取付部材１４５は、通路１２５にわたって支障とならないように水平に架設し、底部開口１２８に近接する、ボックス１１０の対向した側壁１２４ａ、１２４ｃにも接続する。同じ側壁１２４ａ、１２４ｃに接続するヒンジ取付部材１４５及び梁１４２は、梁１４２を有するボックス１１０の通路１２５内の中央にあり、梁１４２は、ヒンジ取付部材１４５の真上にある。複数のストラップ１４４ａ、１４４ｂは、ヒンジ取付部材１４５を梁１４２に接続させ、梁１４２は、ヒンジ取付部材１４５にミッドスパン支持（ｍｉｄ  ｓｐａｎ  ｓｕｐｐｏｒｔ）を提供する。ヒンジ取付部材１４５は、スティフナ支持体１３１上に適切に存在する。
【００４８】
複数のヒンジ部材１４３は、それぞれ、静止部材１４３ｂ、可動部材１４３ａ及びヒンジピン１４３ｃを含み、ヒンジピン１４３ｃは、静止部材１４３ｂ及び可動部材１４３ａを相互連結する。静止部材１４３ｂは、ヒンジ取付部材１４５に接続する。
【００４９】
通路１２５内に配置されるのは、一対の対向するパネル１３４、１３６である。各パネル１３４、１３６は、近位部及び遠位部を有する。パネル１３４、１３６は、少なくとも上面に外皮１３８を有し、かつ、剛性のために内部交差筋交い１３９を有する。可動ヒンジ部材１４３ａは、梁１４２の下方の直立原位置へと、あるいは、直立原位置から、互いに対向する方向において、パネル１３４、１３６を回転させるために、パネル１３４、１３６の近位部に付着する。梁１４２の下に挟装されたパネルの原位置は、通路１２５を塞がない。重力の作用により回転するパネル１３４、１３６は、直立原位置から下方通路閉鎖位置へと降下し、下方通路閉鎖位置では、ストップ１３０ａ、１３０ｂ、１３０ｃ、１３０ｄ及び１３０ｅによって更なる回転が防がれる。各パネルは、通路閉鎖位置へと重力の作用により回転されるときに通路を閉鎖するプロファイルを有する。パネルの遠位部は、通路閉鎖位置へと回転するときにスイープ（ｓｗｅｅｐ）する、側壁のコーナー部１２９ａ、１２９ｂ、１２９ｃ及び１２９ｄと実質的に同じ曲率半径を有する丸みを帯びたコーナー部１３１を有する。パネルは、通路閉鎖位置において通路を密封するための１つ以上の周辺シール１２１を有し、シール１２１ａは、パネル３４のためのものであり、シール１２１ｂはパネル１３６のためのものである。ガスケットシール１２３（１２３ａはパネル１３４のためのものであり、１２３ｂはパネル１３６のためのものである）は、ピン１４３の下のパネル１３４、１３６の基部の近位端に広がり、パネル１３４、１３６の基部又は近位端で底部開口１２８を密封する。パネルホルダ１４０は、可動ラッチ部材１４７、１４９を含み、可動ラッチ部材１４７、１４９は、梁１４２の下にラッチ部材を延伸し、かつ、パネル３４、３６をまたいで、パネルを原位置に直立に保持するように、バネ付勢される。パネルホルダ１４０は、梁１４２上方に延伸するハンドル１５２を有する。ハンドル１５２は、パネル１３４、１３６を解除し、かつ、パネルが通路閉鎖位置へと重力の作用により下方に回転することを可能にするために、ラッチ部材１４７、１４９をパネル１３４、１３６の上方に上昇させるように上方に引き込み可能である。延伸されたラッチ部材の引き込みは、バネを負荷して、引き込みに対抗する力を加え、ハンドル１５２の解除において、可動ラッチ部材１４７、１４９を再延伸する。ハンドル１５２は、道具による把持を容易にするために適切に尖っていて、該道具は、格子１６などの格子を介して挿入されることができ、持ち上げるためにハンドル１５２を把持し、パネル１３４、１３６を解除して通路１２５を閉鎖する。
【００５０】
装置１１０は、雨水からベント通路の密封に対する解決における降下物（ｄｒｏｐ）として適切である。リフトアイ（ｌｉｆｔ  ｅｙｅ）１５７ａ、１５７ｂ、１５７ｃ、１５７ｄは、装置１１０を持ち上げ、かつ、それをシャフトの壁上に存在するように換気シャフト内に降下させるために提供される。パネルのうちの少なくとも一方、例えば、パネル１３６には、手動で閉鎖可能、かつ、動作可能な排水管１５８が取り付けられ、降下されたパネル上方で取り込まれた限定的な量の水がシャフト内に排出されることを可能にし、シャフトでは、取り込まれた限定的な量の水は、換気システムの排水管及びポンプによって処理され得る。取り込まれた水が除去された後、パネルを手動で上昇させるために、パネル１３４、１３６は、パネルハンドル１５９ａ、１５９ｂを備えることができる。
【００５１】
ここで図２６を参照すると、本発明の別の例示的な実施形態が示され、これは単一のパネルを利用する。装置２００は、他の実施形態と共に、垂直の換気シャフトの直線状の大気開口を引き受け（ａｓｓｕｍｅ）、シャフトを介して地下の換気ダクトへの換気を通常通りに可能にする。換気ダクトは、シャフト上方の格子において、かつ、浸水の脅威の下、換気シャフトを介して大気開口へと流体連通する。装置２００は、地表の水が地下の換気ダクトへと下方へと流れ込むことを防ぐように動作可能である。装置２００は、底部及び上部にて開口する四面の垂直のボックス２１８として具現化された支持体２１０を含み、ボックス２１８の上部開口２２６と底部開口２２８との間の通路２２５を画定する。図７〜図１５にあるように、フランジ（２２０）などの一部の詳細については、説明の簡潔化のために省略するが、他の実施形態の説明から、水平に延伸し、換気シャフトの垂直壁にあるということが理解できるだろう（本実施形態には例示されていないが、前述の実施形態から理解されるだろう）。側壁２２４ｂ、２２４ｃ及び２２４ｄは、この断面図内で視認可能である。２２４ａは、他の実施形態の説明から理解できるだろう。他の例示的な実施形態にあるように、ボックス２１８の４つの側壁２２４ａ、２２４ｂ、２２４ｃ、２２４ｄは、４つの垂直な換気シャフトの壁の内部に垂直に嵌合する。ストップ２３０は、底部開口２２８に近接する側壁２２４内にあり、かつ、側壁２２４に接続され、底部開口２２８では、ストップ２３０は通路２２５を塞がない。この断面図において、ストップ２３０ａ及び２３０ｂは、視認可能である（ストップ２３０ｃ及び２３０ｄは、前述の実施形態から理解できるだろう）。隣接する側壁は、各ストップ２３０ａ、２３０ｄ上方に丸みを帯びたコーナー部２２７ａ、１２７ｄを有する基部２２７を含み、別の基部２２９は、各ストップ２３０ｂ、２３０ｃの上方に丸みを帯びたコーナー部２２９ｂ、２２９ｃを有する。丸みを帯びたコーナー部２２７ｄ及び２２９ｃは、図２６において断面に視認可能である。
【００５２】
水平な心棒２３２は、対向する側壁２２４ａ、２２４ｃに直交し、心棒２３２を側壁２４の底部開口２２８の上方に隣接して配置する軸受面上に固定支持される。単一のパネル２３６は、対向する側壁２２４ａと２２４ｃとの間で長手方向に架設し、かつ、回転可能なマウント２３７によって、水平な心棒２３２上に回転可能に取り付けられる。マウント２３７は、通路２２５を塞がずに、パネル２３６が描かれた直立原位置から下方に時計回りに回転することを可能にし、直立原位置から下方通路閉鎖位置へと降下する重力回転を可能にし、下方通路閉鎖位置では、更なる回転はストップ２３０によって防がれる。パネル２３６は、重力の作用により通路閉鎖位置へと回転されるときに、通路２２５を閉鎖するプロファイルを有する。
【００５３】
概略的に参照符号２４０で示されるホルダは、パネル２３６上方で梁２４２によって支持され、梁２４２は、側壁２２４ａ、２２４ｃの上方延伸（ｕｐｐｅｒ  ｅｘｔｅｎｄ）に固定される。ホルダ２４０は、パネル３６を図２６に図示するように原位置において直立に保持する。ホルダ２４０は、パネル３６上の支持を解除するように動作可能であり、パネル２３６が心棒２３２に対して時計回りに回転し、ストップ２３０の配置により固定された水平位置へと下方に重力の作用によりスイングすることを可能にする。ホルダ２４０はラッチ２４８を有し、ラッチ２４８は、ラッチ部材２４９をパネル２３６の外側の上方部分に並行して延伸し、パネル２３６を原位置において直立に保持するように配置される。ラッチ部材２４９は、パネル２３６におけるその保持を解放するように引き込み可能であり、解放されたパネルが直立位置から水平位置へと回転することを可能にする。例示的な実施形態において、ラッチ２４８は、バネ（視認可能でない）のための筐体を含み、ラッチ部材２４９は、パネル２３６の外側の上方部分に並行してそれを延伸するようにばね付勢される（ここでの、外側とは、パネルが水平へと下降されたとき、ボックス２１８内で下方に面する側面を意味する）。部材２４９の引き込みは、バネを負荷して、引き込みに対抗する力を加えて、ラッチ部材２４９を再延伸するためにラッチをステージ化（ｓｔａｇｅ）する。
【００５４】
例示的な実施形態にあるように、ラッチ部材２４９は、パネル２３６の上方内側の表面を係合するために、その下方部分に外側に湾曲した表面を有し、水平から上昇するときにパネル表面が湾曲したラッチ部材表面に沿って摺動して、バネ付勢されたラッチ部材２４９を引き込み位置に押し込むことを生じさせ、パネル２３６がラッチ部材２４９を通過し、直立原位置に達することを可能にする。これは、直立原位置に達すると、バネ付勢されたラッチ部材２４９が、原位置にパネル２３６を保持するように再延伸することを可能にする。
【００５５】
装置２００は、パネル位置指示器も有し、該パネル位置指示器は、パネル２３６が直立原位置にあるときに、格子２１６の上部の下に引き込まれた上方末端２６２と共に移動可能な垂直な棒２６０を含む。パネル２３６が原位置から離れて水平へと回転するとき、パネル位置指示器の棒２６０は、下方末端において、回転可能なマウント２３７から突出するフィンガー２３３に移動可能に接続されて（ピンによって締結されたクレビスによって）、パネル２３６が水平に配置されるときに棒の末端２６２が格子１６の上方に突出する程度に棒２６０を持ち上げる。棒の末端２６２は、例えば、色でマーク付けされ、パネル２３６が水平位置に配置されることを確かめるように一瞬で簡単に認識できるようにする。そのように配置されると、パネルは、ボックス２１８に侵入する氾濫する地表の水が、ベントシャフトを地下構造物に接続する換気ダクトへと流れ込むことを防ぎ、これにより地下構造物は防御される。
【００５６】
本発明の概念を包含する実施形態の例示的な例を説明してきたが、当業者であれば、これらの実施形態によって導かれて、これらの概念を利用することができるだろう。そして、当業者であれば、それでもなお、本明細書中に開示された概念を利用し、かつ、以下の特許請求の範囲に主張されるような本発明の範囲内にある、代替的な変更形を形成することができる。
【図１】
0006472809.tif 000002
【図２】
0006472809.tif 000003
【図３】
0006472809.tif 000004
【図４】
0006472809.tif 000005
【図５】
0006472809.tif 000006
【図６】
0006472809.tif 000007
【図７】
0006472809.tif 000008
【図８】
0006472809.tif 000009
【図９】
0006472809.tif 000010
【図１０】
0006472809.tif 000011
【図１１】
0006472809.tif 000012
【図１２】
0006472809.tif 000013
【図１３】
0006472809.tif 000014
【図１４】
0006472809.tif 000015
【図１５】
0006472809.tif 000016
【図１６】
0006472809.tif 000017
【図１７】
0006472809.tif 000018
【図１８】
0006472809.tif 000019
【図１９】
0006472809.tif 000020
【図２０】
0006472809.tif 000021
【図２１】
0006472809.tif 000022
【図２２】
0006472809.tif 000023
【図２３】
0006472809.tif 000024
【図２４】
0006472809.tif 000025
【図２５】
0006472809.tif 000026
【図２６】
0006472809.tif 000027